(57)【要約】【課題】本発明は、アダプターの着脱及び収納管理が不要であり、装置の複雑化やコストアップを招くことなく、通常の原稿を原稿幅方向の中心基準で、ＭＩＣＲ文字の印字されている原稿を原稿端面基準で規制して給送できるシート給送装置及びこれを備えた画像読取装置を提供することを目的とする。【解決手段】本発明に係るシート給送装置の代表的な構成は、載置したシートを給送するシート給送装置において、シートの幅方向の載置位置を規制する間隔が調整可能な一対の規制板12、13を備えた規制手段を有し、規制手段は、規制板12、13の位置をシートの中心基準で調整する第１の調整方法と、規制板12、13の位置をシートの端面基準で調整する第２の調整方法とに切換可能であることを特徴とする。【選択図】      図４
2006069682.tif 000002
【特許請求の範囲】
【請求項１】
載置したシートを給送するシート給送装置において、
前記シートの幅方向の載置位置を規制する間隔が調整可能な一対の規制板を備えた規制手段を有し、
該規制手段は、前記規制板の位置をシートの中心基準で調整する第１の調整方法と、前記規制板の位置をシートの端面基準で調整する第２の調整方法とに切換可能であることを特徴とするシート給送装置。
【請求項２】
前記規制手段は、前記一対の規制板を連動して移動させる連動手段を備え、
該連動手段を前記一対の規制板に連結させることによりシート中心基準で前記一対の規制板の間隔を調整する第１の調整方法と、前記連動手段と前記一対の規制板の連結を解除することによりシート端面基準で前記一対の規制板の間隔を調整する第２の調整方法に切換可能であることを特徴とする請求項１に記載のシート給送装置。
【請求項３】
前記連動手段は、前記一対の規制板にそれぞれ設けられたラックに噛合うピニオンギアであり、前記ラックに噛合う第１の位置と、前記ラックとの噛合いが解除される第２の位置とに移動可能に支持されていることを特徴とする請求項２に記載のシート給送装置。
【請求項４】
前記ピニオンギアは前記ラックとの噛合いが任意の位置で解除可能であり、前記一対の規制板の間隔が最小、あるいは最大となる位置で、前記ラックと噛合う構成としたことを特徴とする請求項３に記載のシート給送装置。
【請求項５】
シートに記録された画像を読み取る画像読取部と、
該画像読取部に前記シートを給送する請求項１乃至請求項４のいずれか１項に記載のシート給送装置と、を備えたことを特徴とする画像読取装置。 
【発明の詳細な説明】
【技術分野】
【０００１】
本発明は、異なるサイズのシートを給送するシート給送装置及びこれを備えた画像読取装置に関し、特にシートの記載位置が異なる基準位置でシートを給送するものに関するものである。
【背景技術】
【０００２】
従来、複写機、ファックス等に設けられる画像読取装置においては、シートを画像読取部に給送するためのシート給送装置を備えている。このようなシート給送装置の一例としては、シートである原稿を原稿読取部に給送するＡＤＦ（自動原稿給送装置）がある。
【０００３】
このようなＡＤＦ（自動原稿給送装置）においては、原稿のセット位置の規制や斜行防止のための、間隔が調整可能な一対の規制板を原稿載置台に備えており、原稿を読み取る際、ユーザーは該規制板の間隔をセットされる原稿の幅に合わせて調整し、原稿を原稿載置台にセットする。
【０００４】
図８に示すように、通常、前記規制板は原稿の幅センター基準で位置を規制するように、一対の規制板40、41それぞれに設けられたラック40ａ、41ａがピニオンギア42で連結されている。そして、一対の規制板40、41は、連動して原稿幅方向に移動して、原稿幅に合わせて間隔を調整できるよう構成されている（特許文献１参照）。
【０００５】
近年、画像読取装置の多機能化に伴い、ＭＩＣＲ文字（磁気インク文字）読み取り用の磁気ヘッドを備え、画像読み取りと同時に原稿（小切手や手形等）に印字されたＭＩＣＲ文字の読み取りが可能な画像読取装置が製品化されている。
【０００６】
ＭＩＣＲ文字は、ＪＩＳ規格等により印字位置が定められており、図９に示すように、原稿30のサイズが異なっても原稿30の端面からの印字位置が同じ位置（例えば、端面から距離ａの位置）になるように印字されている。
【０００７】
ＡＤＦでＭＩＣＲ文字の印字された原稿30（小切手や手形等）を給送して、ＭＩＣＲ文字の読み取りを行う場合、原稿30の位置は規制板40、41により原稿幅方向の中心基準で規制されてしまう。このため、原稿30のサイズが異なると原稿幅中心からＭＩＣＲ文字までの位置が変ってしまう。
【０００８】
そして、磁気ヘッドの位置は固定されているため、原稿幅中心からＭＩＣＲ文字の位置が変ることで、ＭＩＣＲ文字が磁気ヘッドの位置を通過せず、ＭＩＣＲ文字を読み取れなくなってしまう。
【０００９】
そこで、ＭＩＣＲ文字を読み取る場合には、原稿サイズが異なってもＭＩＣＲ文字位置が変らないように、一対の規制板40、41のうち、一方の規制板の位置を固定して、原稿30の端面基準で原稿30の位置を規制できるアダプターを原稿載置台に取り付けて原稿をセットしていた。
【００１０】
【特許文献１】特開平６−６４７５９号公報
【発明の開示】
【発明が解決しようとする課題】
【００１１】
しかしながら、ＭＩＣＲ文字を読み取る必要のない、通常の原稿を給送する場合は、不要となるアダプターを取り外さなければならない。また、外したアダプターを収納管理しなければならないという問題もある。
【００１２】
一方、アダプターを使用しなくても済むように、磁気ヘッドをＭＩＣＲ文字の位置に合わせて移動可能にすると、装置の複雑化やコストアップなどの問題を招いてしまう。
【００１３】
そこで本発明は、アダプターの着脱及び収納管理が不要であり、装置の複雑化やコストアップを招くことなく、通常の原稿を原稿幅方向の中心基準で、ＭＩＣＲ文字の印字されている原稿を原稿端面基準で規制して給送できるシート給送装置及びこれを備えた画像読取装置を提供することを目的とする。
【課題を解決するための手段】
【００１４】
上記課題を解決するために本発明に係るシート給送装置の代表的な構成は、載置したシートを給送するシート給送装置において、前記シートの幅方向の載置位置を規制する間隔が調整可能な一対の規制板を備えた規制手段を有し、該規制手段は、前記規制板の位置をシートの中心基準で調整する第１の調整方法と、前記規制板の位置をシートの端面基準で調整する第２の調整方法とに切換可能であることを特徴とする。
【発明の効果】
【００１５】
以上説明したように、本発明によれば、特別な位置規制部材をアダプターとして使用したり、装置の複雑化やコストアップを招くこと無く、原稿を原稿幅方向の中心基準又は端面基準で規制して給送できるシート給送装置及びこれを備えた画像読取装置を提供できる。
【発明を実施するための最良の形態】
【００１６】
本発明に係るシート給送装置及びこれを備えた画像読取装置の実施形態について、図を用いて説明する。図１は本発明に係るシート給送装置を備えた画像読取装置の構成図である。
【００１７】
（画像読取装置）
図１に示すように、画像読取装置10は、原稿載置台１、給送ローラ２から構成されるシート給送装置、分離ローラ対３、搬送ローラ対４、読取ユニット５、排出トレイ６を備えている。また、画像読取装置10は、ＭＩＣＲ文字（磁気インク文字）読取ユニット20（オプションユニット）をオプションとして取り付け可能に構成されている。
【００１８】
ＭＩＣＲ文字読取ユニット20は、画像読取装置10の排出口に設置され、搬送ローラ対21ａ、21ｂ、磁気ヘッド22を備えている。磁気ヘッド22は、規制板13を目印11のＭＩＣＲの位置に合わせた時に手形や小切手等に印刷されたＭＩＣＲ文字の読み取り可能な位置となるように取り付けられている。
【００１９】
図２はシート給送装置の原稿載置台１の上視図である。図３はシート給送装置の規制手段の上視図である。図２及び図３に示すように、原稿載置台１は、規制手段を構成する一対の規制板12、13、連動手段であるピニオンギア14、回転軸15を備えている。
【００２０】
規制板12、13は、シートである原稿30の幅方向左右に、原稿30の幅方向に間隔を調整可能に設けられており、原稿30の幅方向の位置を規制する。原稿載置台１には、定型サイズの原稿に対して規制板12、13の位置を調整する目安として、目印11が設けられている。
【００２１】
規制板12、13には、間隔調整方向（原稿30の幅方向）に沿ってラック12ａ、13ａが、互いに向き合うように設けられている。規制板12、13の間隔の中心位置に、互いに向き合うラック12ａ、13ａに噛合う（連結する）ようにピニオンギア14が回転可能に設けられている。規制板12、13は、ピニオンギア14を介して原稿30の幅方向に逆方向へ連動してスライドする。そして、ピニオンギア14は、原稿載置台１（載置される原稿30）の幅方向の中心に設けられているため、原稿30の幅方向の中心基準で連動して間隔を調整できる
図４は連動時の規制板12及びピニオンギア14の断面図である。ピニオンギア14は、回転軸15に回転可能に軸支されている。回転軸15は、ラック12ａ、13ａに対して垂直方向（略鉛直方向）に移動可能に支持されている。回転軸15は、上端にボタン15ａを、ボタン15ａの下にツメ15ｂ、15ｃを、下端に張り出し部15ｄを形成している。また、回転軸15は、バネ16によって上向きに付勢されている。
【００２２】
ピニオンギア14は、回転軸15によって、ラック12ａ、13ａに噛合う第１の位置と、ラック12ａ、13ａとの噛合いが解除される第２の位置とに移動可能に支持されている。そして、ピニオンギア14の移動により、規制手段（規制板12、13、ピニオンギア14）は、規制板12、13の位置をシートの中心基準で調整する第１の調整方法と、規制板12、13の位置をシートの端面基準で調整する第２の調整方法とに切換可能となっている。
【００２３】
規制板12、13の位置を原稿の中心基準で調整（第１の調整）する際は、回転軸15下端の張り出し部15ｄによりピニオンギア14が上側へ付勢され、ピニオンギア14とラック12ａ、13ａが噛合う（連結した）第１の位置にある。
【００２４】
規制板12、13の位置を原稿の端面基準で調整（第２の調整）する際は、図５に示すように、バネ16の付勢力に抗してボタン15ａを押し下げることで、ツメ15ｂ、15ｃの撓みによりピニオンギア14が回転軸15とともに下側へ移動し、ピニオンギア14とラック12ａ、13ａの噛合い（連結）が解除される第２の位置にある。この際、ツメ15ｂ、15ｃが突起部部１ａ、１ｂの下側に係合することにより、回転軸15は下がった状態で保持され、解除状態が維持される。
【００２５】
ボタン15ａを押し下げは、シートの幅方向の任意の位置で行うことができる。このため、ピニオンギア14とラック12、13との噛合いは、シートの幅方向の任意の位置で解除可能となっている。
【００２６】
したがって、ユーザーが規制板12、13の基準位置を切り換えるのに、規制板12、13を特定の位置に合わせる必要がないため、ユーザーが切り換え位置を意識することなく簡単に切り換えが出来る。
【００２７】
（中心基準の給送、読み取り）
ここで、原稿幅方向の中心基準で規制板12、13により原稿30を規制し、給送、読み取りを行う場合について説明する。この原稿幅方向の中心基準の規制は、オプションユニット20でＭＩＣＲ文字を読み取らずに、画像のみ画像読取装置10で原稿30の画像を読み取る場合に行われる。
【００２８】
図２に示すように、原稿載置台１に原稿30を載置する際は、ユーザーが規制板12、13を目印11の位置に合わせて位置を調整した後原稿30を原稿載置台１に載せる。または、先に原稿載置台１に原稿30を載せた後、原稿30に合わせて規制板12、13の間隔を調整する。
【００２９】
そして画像読取装置10に接続された不図示のコンピュータから画像の読み取りを指示し、原稿載置台１に載置された原稿30の一番上の原稿から給送ローラ２によって装置内部へと給送する。ここで複数枚の原稿が給送されてしまった場合、分離ローラ対３によって１枚づつに分離されて給送される。給送された原稿30は搬送ローラ対４ａによって画像読取ユニット５に搬送され画像を読み取られた後、搬送ローラ対４ｂ、４ｃ、４ｄによって搬送され、オプションユニット20に受け渡される。オプションユニット20は搬送ローラ対21ａ、21ｂで原稿30を搬送し、画像読取装置10の排出トレイ６に原稿を排出する。
【００３０】
（端面基準の給送、読み取り）
次に、原稿の端面基準で規制板12、13により原稿を規制し、給送、読み取りを行う場合について説明する。この原稿の端面基準の規制は、オプションユニット20で小切手あるいは手形等の原稿に印刷されたＭＩＣＲ文字を読み取る場合に行われる。図５は連動解除時の規制板12、13及びピニオンギア14の断面図である。図６は連動解除時の原稿載置台１の上視図である。
【００３１】
まず原稿載置台１に小切手31を載置する前に、ユーザーが原稿載置台１上に見えている回転軸15に設けられたボタン15ａを下方向に押し込むと、図５に示すように、回転軸15に設けられたツメ15ｂ、15ｃが原稿載置台１に設けられた突起部１ａ、１ｂを乗り越えて、突起部部１ａ、１ｂの下側に係合することにより回転軸15は下がった状態で保持される。
【００３２】
このとき回転軸15に回転可能に支持されているピニオンギア14も、ツメ15ｂ、15ｃの撓みにより押し下げられ、回転軸15と共に下側に移動し、ピニオンギア14とラック12ａ、13ａとの噛合いが解除される。ピニオンギア14との噛合いが解除されたラック12ａ、13ａは、それぞれ独立して移動が可能になる。この状態で、図６に示すように、規制板13を目印11のＭＩＣＲの位置に合わせて位置決めを行い、小切手31を原稿載置台１に載せた後、規制板12を小切手31の幅に合わせて移動させ、小切手31の位置を規制する。
【００３３】
そして、中心基準で原稿30の画像を読み取る場合と同様に、不図示のコンピュータから画像の読み取りを指示し、給送ローラ２によって小切手31を給送し画像を読み取る。その後、小切手31を搬送ローラ対４ｄによってオプションユニット20内へ搬送する。
【００３４】
小切手31を受け取ったオプションユニット20は、搬送ローラ対21ａで小切手31を搬送し、磁気ヘッド22でＭＩＣＲ文字を読み取った後、搬送ローラ対21ｂで排出トレイ６に排出する。
【００３５】
そして、再び規制板12、13を原稿幅方向の中心基準で調整可能にするには、図７に示すように、規制板12、13の間隔が最小になるように規制板12、13を内側に移動させる。これにより、規制板12、13に設けられた突起部12ｂ、13ｂが、ツメ15ｂ、15ｃを内側に押し込んで撓ませ、ツメ15ｂ、15ｃと突起部１ａ、１ｂとの係合が外れる。
【００３６】
係合が外れた状態で、回転軸15がバネ16によって上側へ押し戻される。ピニオンギア14も回転軸15の張り出し部15ｄにより上側へ押し戻され、ラック12ａ、13ａと再び噛合う。この規制板12、13が連動する状態で、規制板12、13の間隔を広げると、再び原稿幅方向の中心基準で規制板12、13の間隔が調整可能となる。
【００３７】
規制板12、13の間隔が最小あるいは最大となる位置で、ラック12ａ、13ａと噛合う構成としたことにより、規制板12、13の位置を原稿の端面基準から、原稿の中心基準に戻す際に、ユーザーが左右の規制板12、13の位置を意識して左右均等な位置合わせる必要が無く、簡単且つ確実に原稿中心基準に切り換えが可能となる。
【００３８】
上述のごとく、シートの幅方向の載置位置を規制する間隔が調整可能な一対の規制板12、13を備えた規制手段を設け、この規制手段は、規制板12、13の位置をシートの中心基準で調整する第１の調整方法と、規制板12、13の位置をシートの端面基準で調整する第２の調整方法とに切換可能とした。
【００３９】
これにより、特別な位置規制部材をアダプターとして使用したり、装置の複雑化やコストアップを招くこと無く、原稿を原稿幅方向の中心基準又は端面基準で規制して給送できる。そして、ＪＩＳ規格等によりシートの端面からの印字位置が定められているＭＩＣＲ文字を読み取ることができる。
【図面の簡単な説明】
【００４０】
【図１】本実施形態にかかるシート給送装置を備えた画像読取装置の構成図である。
【図２】シート給送装置の原稿載置台の上視図である。
【図３】シート給送装置の規制手段の上視図である。
【図４】連動時の規制板及び連動手段の断面図である。
【図５】連動解除時の規制板及び連動手段の断面図である。
【図６】連動解除時の原稿載置台の上視図である。
【図７】規制板の再連動を説明する断面図である。
【図８】従来のシート給送装置の規制手段の上視図である。
【図９】ＭＩＣＲ文字の印字位置の説明図である。
【符号の説明】
【００４１】
１…原稿載置台、１ａ、１ｂ…突起部、２…給送ローラ、３…分離ローラ対、４…搬送ローラ対、５…読取ユニット、６…排出トレイ、10…画像読取装置、11…目印、12、13…規制板、12ａ、13ａ…ラック、12ｂ、13ｂ…突起部、14…ピニオンギア、15…回転軸、15ａ…ボタン、15ｂ、15ｃ…ツメ、15ｄ…張り出し部、16…バネ、20…ＭＩＣＲ文字読取ユニット、21ａ、21ｂ…搬送ローラ対、22…磁気ヘッド、30…原稿、31…小切手
【図１】
2006069682.tif 000003
【図２】
2006069682.tif 000004
【図３】
2006069682.tif 000005
【図４】
2006069682.tif 000006
【図５】
2006069682.tif 000007
【図６】
2006069682.tif 000008
【図７】
2006069682.tif 000009
【図８】
2006069682.tif 000010
【図９】
2006069682.tif 000011